(57)【要約】リモコンシステムは、ベッド（１０）、リモコン（１５０）、およびベッド（１００）およびリモコン（１５０）と通信するマスタステーション（１７８）を含む。各ベッド（１００）はベッド（１００）に関連する患者からリクエストを受信でき、かつ各リモコン（１５０）はリモコン（１５０）に関連する介護人（１１０）へリクエストを提供できる。マスタステーション（１７８）はベッド（１００）を介して患者からナースコールリクエストを受信して、患者の介護人（１１０）に関連するリモコン（１５０）を識別し、かつナースコールリクエストを患者の介護人（１１０）に関連すると識別されたリモコン（１５０）に送信する。
2004512058.tif 000002
【特許請求の範囲】
【請求項１】
バッジに関連する介護人を識別する識別信号を送信するバッジ、
介護人からの入力を受信する入力装置、および介護人から受信した入力を基に制御信号を送信するトランスミッタを含むリモコン、
前記バッジから介護人識別信号そして前記リモコンから制御信号を受信する病院ベッドに関連するレシーバ、および
前記病院ベッドに関連するレシーバが介護人に関連するバッジから介護人識別信号を受信する場合にのみ、病院ベッドの操作を制御しかつ制御信号リモコンから受信した制御信号に応答する制御ユニットを含む、ベッドに関連する患者に遠隔奉仕するためのシステム。
【請求項２】
前記病院ベッドに関連する患者に関する情報を記憶する記録保持装置を更に含み、
前記リモコンは前記記録保持装置からの情報をリクエストでき、かつ前記記録保持装置から受信した情報をそのリモコンに関連する介護人に提供できる、請求項１のシステム。
【請求項３】
前記病院ベッドは休息面、前記休息面を支持するフレーム、および前記フレームを調整するフレーム装置を含み、かつ
前記リモコンは前記フレーム装置を介して前記病院ベッドのフレームを調整できる、請求項１のシステム。
【請求項４】
前記病院ベッドは休息面、前記休息面を支持するフレーム、および前記休息面を調整する休息面装置を含み、かつ
前記リモコンは前記休息面装置を介して前記病院ベッドの休息面を調整することができる、請求項１のシステム。
【請求項５】
前記病院ベッドに関連する患者の物理的特徴をテストするテスト装置を更に含み、
前記リモコンは前記テスト装置から情報をリクエストできかつそのリモコンに関連する介護人へ前記テスト装置から受信した情報を提供できる、請求項１のシステム。
【請求項６】
各々がベッドに関連する患者からのリクエストを受信できる複数のベッド、
各々がリモコンに関連する介護人へリクエストを提供できる複数のリモコン、および
前記複数のベッドおよび複数のリモコンと通信するマスタステーションを含み、
前記マスタステーションは前記複数のベッドの一つを介し患者からのナースコールリクエストを受信し、その患者の介護人に関連するリモコンを前記複数のリモコンから識別し、かつその患者の介護人に関連すると識別されたリモコンに前記ナースコールリクエストを送信できる、リモコンシステム。
【請求項７】
前記複数のベッドの各ベッドはそのベッドに関連する患者からの音声信号を受信でき、
前記複数のリモコンの各リモコンはそのリモコンに関連する介護人に音声信号を提供でき、かつ
前記マスタステーションは、患者のナースコールリクエストの受信に応答して患者に関連する音声信号をその患者の介護人に関連すると識別されたリモコンに送信できる、請求項６のシステム。
【請求項８】
前記複数のベッドに関連する患者の視覚信号を提供できる複数のカメラを更に含み、
前記複数のリモコンの各リモコンはそのリモコンに関連する介護人に視覚信号を提供でき、かつ
前記マスタステーションは患者からの前記ナースコールリクエストの受信に応答してその患者の介護人に関連すると識別されたリモコンへその患者の視覚信号を送信できる、請求項６のシステム。
【請求項９】
前記複数のベッドの各ベッドはそのベッドに関連する患者に音声信号を提供でき、
前記複数のリモコンの各リモコンはそのリモコンに関連する介護人から音声信号を受信でき、かつ
前記マスタステーションは患者からのナースコールリクエストの受信に応答してその患者の介護人に関連するリモコンにより受信した音声信号をそのベッドへ送信できる、請求項６のシステム。
【請求項１０】
前記複数のベッドの状態をモニタし、かつ望ましくないベッド状態が感知される場合にアラーム状態を発生する複数のモニタ装置を更に含み、
前記複数のリモコンの各リモコンは、そのリモコンに関連する介護人に前記アラーム状態を提供でき、かつ
前記マスタステーションは前記複数のモニタ装置の一つからアラーム状態を受信でき、かつ前記アラーム状態をそのモニタ装置に対応する患者の介護人に関連するリモコンに送信できる、請求項６のシステム。
【請求項１１】
前記複数のベッドに関連する患者の状態をモニタしかつ望ましくない患者状態が感知される場合にアラーム状態を発生する複数のモニタ装置を更に含み、
前記複数のリモコンの各リモコンはそのリモコンに関連する介護人に前記アラーム状態を提供でき、かつ
前記マスタステーションは前記複数のモニタ装置の一つのモニタ装置からアラーム状態を受信でき、かつ前記アラーム状態をそのモニタ装置に対応する患者の介護人に関連するリモコンに送信できる、請求項６のシステム。
【請求項１２】
前記複数のベッドに関連する患者を処置するために使用される処置装置の状態をモニタし、かつ望ましくない装置状態が感知される場合にアラーム状態を発生する複数のモニタ装置を更に含み、
前記複数のリモコンの各リモコンはそのリモコンに関連する介護人に前記アラーム状態を提供し、かつ
前記マスタステーションは前記複数のモニタ装置の一つのモニタ装置からアラーム状態を受信し、かつ前記アラーム状態をそのモニタ装置に対応する患者の介護人に関連するリモコンへ送信できる、請求項６のシステム。
【請求項１３】
前記複数のベッドに関連する患者に関する情報を記憶する複数の記録保持装置を更に含み、
前記複数のリモコンの各リモコンは前記複数の記録保持装置から情報をリクエストでき、かつ前記複数の記録保持装置から受信した情報をそのリモコンに関連する介護人へ提供できる、請求項６のシステム。
【請求項１４】
前記複数のベッドの各ベッドは休息面、前記休息面を支持するフレーム、および前記フレームを調整する複数のフレーム装置を含み、かつ
前記複数のリモコンの各リモコンは前記複数のフレーム装置を介して前記複数のベッドの各フレームを調整できる、請求項６のシステム。
【請求項１５】
前記複数のベッドの各ベッドは休息面、前記休息面を支持するフレーム、および前記休息面を調整する複数の休息面装置を含み、かつ
前記複数のリモコンの各リモコンは前記複数の休息面装置を介して前記複数のベッドの各休息面を調整することができる、請求項６のシステム。
【請求項１６】
前記複数のベッドに関連する患者の物理的特徴をテストする複数のテスト装置を更に含み、
前記複数のリモコンの各リモコンは前記複数のテスト装置から情報をリクエストできかつそのリモコンに関連する介護人へ前記複数のテスト装置から受信した情報を提供できる、請求項６のシステム。
【請求項１７】
複数の室、複数のトランシーバを含むロケーション・トラッキングシテスム、および前記ロケーション・トラッキングシテスムと通信する複数のベッドを含む施設に使用するためのリモコンであって、
入力装置、
トランシーバ、および
出力装置を含み、
前記入力装置を介して介護人はその施設の異なる室にある複数のベッドから一つのベッドを選択し、かつ介護人が選択したベッドから情報をリクエストでき、
前記トランシーバは前記入力装置の介護人からのリクエストの受信に応答して前記ロケーション・トラッキングシテスムの複数のトランシーバの少なくとも一つを介して選択されたベッドにリクエストを送信し、かつ
前記出力装置は選択されたベッドから受信した情報を介護人へ提供する、リモコン。
【請求項１８】
前記トランシーバは前記複数のトランシーバの少なくとも一つを介して選択されたベッドから音声信号を受信し、かつ
前記出力装置は選択されたベッドから受信した音声信号を提供するスピーカを含む、請求項１７のリモコン。
【請求項１９】
前記トランシーバは前記複数のトランシーバの少なくとも一つを介して選択されたベッドに関連する患者を描写する視覚信号を受信し、かつ
前記出力装置は選択されたベッドに関連する患者を描写する視覚信号を提供するディスプレイを含む、請求項１７のリモコン。
【請求項２０】
介護人から音声信号を受信するマイクロホンを更に含み、
前記トランシーバは前記複数のトランシーバの少なくとも一つを介して選択されたベッドへ音声信号を送信する、請求項１７のリモコン。
【請求項２１】
前記入力装置により受信したリクエストは選択されたベッドの記録保持装置に記憶された情報をリクエストし、かつ
前記出力装置は選択されたベッドの記録保持装置から受信した情報を提供する、請求項１７のリモコン。
【請求項２２】
前記入力装置は選択されたベッドの休息面を支持する選択されたベッドのフレームを調整するリクエストを受信し、かつ
前記トランシーバは前記複数のトランシーバのなくとも一つを介して選択されたベッドのフレームを調整するリクエストを送信する、請求項１７のリモコン。
【請求項２３】
前記入力装置は選択されたベッドの休息面を調整するリクエストを受信し、かつ
前記トランシーバは前記複数のトランシーバの少なくとも一つを介して選択されたベッドの休息面を調整するリクエストを送信する、請求項１７のリモコン。
【請求項２４】
前記リクエストは選択されたベッドに関連するテスト装置から情報をリクエストし、かつ
前記出力装置は選択されたベッドに関連するテスト装置から受信した情報を提供する、請求項１７のリモコン。
【請求項２５】
複数の室、複数のトランシーバおよびマスタステーションを含むロケーション・トラッキングシテスム、および複数のトランシーバから受信した識別信号を基に介護人の位置を決定しかつ複数のベッドの一つのベッドに関連する患者の看護に従事する介護人を識別することのできる前記マスタステーションと通信する複数のベッドを含む施設に使用するためのリモコンであって、
前記リモコンに関連する介護人を識別する識別信号を前記複数のトランシーバの少なくとも一つを介して前記マスタステーションへ送信するトランスミッタ、
前記ベッドに関連する患者の介護に従事する介護人の決定に応答して介護人以外の施設の異なる室にある複数のベッドから介護人へ前記マスタステーションが連絡するアラーム状態を前記複数のトランシーバの少なくとも一つを介して受信するレシーバ、および
介護人にアラーム状態を提供する出力装置を含む、リモコン。
【請求項２６】
前記レシーバから受信したアラーム状態はベッドの望ましくない状態が感知されたことを示し、かつ
前記出力装置はベッドの望ましくない状態を介護人へ報告する、請求項２５のリモコン。
【請求項２７】
前記レシーバから受信したアラーム状態はベッドに関連する患者の望ましくない状態が感知されたことを示し、かつ
前記出力装置は患者の望ましくない状態を介護人へ報告する、請求項２５のリモコン。
【請求項２８】
前記レシーバから受信したアラーム状態はベッドに関連する患者を処置するために使用された処置装置の望ましくない状態が感知されたことを示し、かつ
前記出力装置は前記処置装置の望ましくない状態を介護人へ報告する、請求項２５のリモコン。
【請求項２９】
ベッドに関連する患者に遠隔的に奉仕するシステムであって、
ベッドを識別するベッド識別信号を送信するベッドに関連したトランスミッタ、
介護人から入力を受信する入力装置、ベッド識別信号を受信するレシーバ、および介護人から受信した入力を基に制御信号およびリモコンにより受信されたベッド識別信号を送信するトランスミッタを含むリモコン、および
ベッドの操作を制御し、かつ前記リモコンのトランスミッタがベッドを識別するベッド識別信号を基に制御信号を送信した場合にのみそのリモコンから受信した制御信号に応答する制御ユニットを含む、システム。
【請求項３０】
ベッドに関連する患者に関する情報を記憶する記録保持装置を更に含み、
前記リモコンは前記記録保持装置から情報をリクエストでき、かつ前記リモコンに関連する識別信号に前記記録保持装置から受信した情報を提供できる、請求項２９のシステム。
【請求項３１】
前記ベッドは休息面、前記休息面を支持するフレーム、および前記フレームを調整するフレーム装置を含み、かつ
前記リモコンは前記フレーム装置を介してベッドのフレームを調整できる、請求項２９のシステム。
【請求項３２】
前記ベッドは休息面、前記休息面を支持するフレーム、および前記休息面を調整する休息面装置を含み、かつ
前記リモコンは前記休息面装置を介してベッドのフレームを調整できる、請求項２９のシステム。
【請求項３３】
前記ベッドに関連する患者の物理的特徴をテストするテスト装置を更に含み、
前記リモコンは前記テスト装置から情報をリクエストでき、かつ前記リモコンに関連する介護人へ前記テスト装置から受信した情報を提供できる、請求項２９のリモコン。
【発明の詳細な説明】
【０００１】
［同時継続出願に関する説明］
２００１年５月４日提出の名称「Ｐａｔｉｅｎｔ Ｐｏｉｎｔ ｏｆ Ｃａｒｅ Ｃｏｍｐｕｔｅｒ Ｓｙｓｔｅｍ 」に係る同時継続米国出願第　／　　号、および２００１年５月４日提出の名称「Ｈｏｓｐｉｔａｌ Ｍｏｎｉｔｏｒｉｎｇ Ａｎｄ Ｃｏｎｔｒｏｌ Ｓｙｓｔｅｍ ａｎｄ Ｍｅｔｈｏｄ」に係る同時継続出願第　　／　　　号は参考としてここに組み込まれる。
【０００２】
［発明の背景および概要］
本発明はベッド、制御装置、およびモニタ装置に関する。更に具体的には、本発明は病院で使用されるベッドを制御かつ監視するためのリモコン（ｒｅｍｏｔｅ ｃｏｎｔｒｏｌ）に関する。
【０００３】
病院ベッドは主に休息面を提供する通常ベッドから高度な医療装置へ暫時展開される。現在の病院ベッドは休息面の高さ調整を可能にし、かつ少なくとも二つの位置へ相互に対して移動自在であり関節式休息面の提供を可能にする。幾つかの従来病院ベッドは、また、休息面をトレンデレンブルグ（Ｔｒｅｎｄｅｌｅｎｂｕｒｇ）位置または逆トレンデレンブルグ位置に位置決めするための機構を含む。代表例として、休息面の形態は、ベッドのガードレールに固定されたパネル上またはワイヤ接続されたリモコン上のボタンを押すことにより調整される。ワイヤレス患者リモコンも、同様に、開発されている。
【０００４】
更に、幾つかの近代ベッドはナースコールボタンおよびナースステーションとのツーウエイ（二方向）通信等の通信能力を組み込んでいる。通信システムは、代表例として、ベッドのガードレールに取り付けられかつベッド内の制御ユニットからその室の壁内のポート、電話システムもしくはローカルエリアネットワーク等の病院通信ネットワークへ接続される患者ステーション上のポートへ延びたケーブルを介してワイヤでハード接続される。室から室へのベッドの運搬時に、ケーブルは患者の上へ垂らすかまたはベッド内に保管する必要がある。更に、ケーブル配線は壁のポートから不本意に引き出され、それによりコネクタ、ケーブル、または壁を損傷する。
【０００５】
幾つかのベッドは、また、種々のモニタおよびテスト設備を装備する。一例として、患者にベッドから退出することを要求とすることなく、患者の重量測定を可能にするベッドスケールを有する。他の例は、患者がベッドを離れようとする時または離れた時を検出するベッド退出システムである。更に、他の例は、失禁が発生したか否かを監視（ｍｏｎｉｔｏｒ） する失禁検出システムである。患者の生理現象モニタ装置はしばしばベッド上またはベッド近くに設置される。モニタ・テスト設備はケーブルを介して病院通信ネットワークに接続できる。ベッドモニタ・テスト設備の状態の決定（測定）は、介護人が特定位置にいること、または広域アラーム、または視覚表示により行なうことを要求する。
【０００６】
介護人はしばしば異なる室の複数の患者に携わる必要がある。従って、介護人がそのベッドから離れかつ中央ナースステーションから離れているときであってもベッド状態または患者状態情報を複数のベッドから介護人が受信できる装置は、介護人の効率を向上させる。更に、いずれかのボタンまたはベッドの他の部分をタッチする必要なく介護人がベッドを操作しかつベッド状態を遠隔チエックすることを可能にする装置は、介護人と患者間の汚染感染の危険を減少させる。
【０００７】
本発明の一形態によれば、ベッドは病院内または他の施設内の電気通信ネットワークへのワイヤレスによるデータ接続を含む。ベッドはかかる通信ネットワークに接続されたトランシーバからデータを送受信するトランシーバを含む。従って、ケーブルデータ接続は要求されない。
【０００８】
本発明の他の形態によれば、手で持つことのできるコントローラは、介護人がベッドのデッキ関節運動または他の運動等ベッド上の少なくとも一つの機能を制御することを可能にする入力装置を含む。コントローラは、また、介護人識別信号を建物内のトラッキングシテスムへ送信するトランスミッタを含む。従って、コントローラはベッド制御機能およびロケータバッジの機能を提供するシングルユニットである。
【０００９】
本発明の他の形態によれば、システムは介護人を自動的に位置決めし、かつ介護人が遠隔位置に居る場合に、ベッド状態情報または患者情報を介護人が担持しているリモコンへ送信する。介護人は入力装置を使用してそのリモコンを介して患者と通信できる。患者は、また、リモコン上のスピーカまたはマイクロホンを使用して遠隔位置から患者と話すことができる。
【００１０】
本発明の例示システムは、その室に委任された介護人以外によるベッドロックアウト状態の変更を防止する。介護人が室へ侵入するときに、ベッドトランシーバは介護人バッジから介護人識別信号を受信する。制御ユニットが識別信号を認証した後に、制御ユニットはベッドロックアウト状態の変更を可能にする。ベッドロックアウト制御装置はベッド上の患者による所定制御の作動を阻止する。かかるロックアウトは代表例的には、種々のベッド制御装置、環境制御装置、または他の機能をロックアウトするためのベッド上の一つのボタンまたは二つ以上を組み合わせたボタンを押すことにより作動する。
【００１１】
本発明の実施形態は概ねフラットなベッド位置から椅子位置へ移動自在のベッドに使用できる設計である。本発明のこの形態において、ベッドは、委任された介護人が室内に居ない場合には椅子位置へ移動できない。再度説明すると、制御ユニットは、椅子位置へのベッドの移動を許可する前に、介護人バッジから識別信号または確認信号を受信しかつ認証しなければならない。
【００１２】
他の実施形態において、ベッドに隣接する患者環境制御装置の状態は、介護人が室に進入するときに自動的に変更される。例えば、介護人が室へ進入するときに、ＴＶ／ラジオ装置上の音は消音してよく、かつ特定照明源が点灯する。ベッドトランシーバは介護人識別信号を受信する。制御ユニットが介護人識別信号を認証した後に、制御ユニットはＴＶ／ラジオ装置に全音を消音し、かつ照明源に特定照明器を点灯するように指示する。
【００１３】
本発明の他の特徴は本発明の最良の実施モードを例示する実施形態に関する続く詳細な説明を検討することにより当業者に理解されるであろう。
【００１４】
［例示形態の詳細な説明］
本発明は種々の改良および他の選択的形態を示唆するが、例示形態について添付図面を参照して下に詳細に説明する。ただし、理解されるように本発明を開示された特定形態に限定する意図はなく、逆に、特許請求の範囲に記載の本発明の範囲および精神の範囲内のあらゆる改良、均等物、および他の形態を含むことを意図している。
【００１５】
図１は病院通信およびデータ網に対してワイヤレス接続有し、かつ例示形態において３Ｃｏｍ Ｐａｌｍ Ｐｉｌｏｔ またはＨａｎｄｓｐｒｉｎｇ Ｖｉｓｏｒ等の個人データアシスタントを含む手で持てる介護人リモコン１５０に対してワイヤレス接続を有する病院ベッド１００を示す。好適形態において、病院ベッド１００は患者／介護人コールシステム、および介護人ロケーション・トラッキングシテスムに接続され、そのようにしてベッド状態または患者状態情報がその施設内の介護人の居場所と関係なく関与介護人に直接的に送られる。患者／介護人コールシステム、および介護人ロケーション・トラッキングシテスムの構造および機能に関する詳細は米国特許第５，５６１，４１２号、同第５，６９９，０３８号および同第５，８３８，２３３号に開示されており、その内容は参考としてここに組み込まれる。全体的に、コールシステムは患者と介護人との間の通信を可能にし、かつ介護人ロケーション・トラッキングシテスムはヘルスケア施設全体内の介護人１１０の居場所を追跡する。
【００１６】
図５を参照すると、病院ベッド１００、ドッキングステーション１０５、および介護人１１０が概略的に示されている。ワイヤレス・ツウウエイドッキング接続１２０は病院ベッド１００とドッキングステーション１０５間で病院ベッド１００上の第一ベッドトランシーバ１２５およびドッキングステーション１０５上のドッキングトランシーバ１３０を介して確立する。「トランシーバ」の用語はこの明細書において従来トランシーバ、トランスミッタ、レシーバ、または分離トランスミッタおよび分離レシーバについて使用される。ワイヤレス・ツウウエイ介護人接続１３５はベッド１００上の第二トランシーバ１４０と介護人１１０によって運搬されるリモコン１５０上の介護人トランシーバ１４５との間に確立される。介護人接続１３５は介護人バッジ１６０上の介護人トランスミッタ１５８により発生する介護人識別信号１５５の検出により起動し、かつ第二ベッドトランシーバ１４０またはドッキングステーション１０５上のレシーバ１４２により受信される。
【００１７】
介護人リモコン１５０はプロセッサ１５３、入力装置１５５およびプロセッサ１５３により実行されかつ病院ベッド１００の機能を制御するように設計されたソフトウエアプログラムを含む。介護人１１０が病院ベッド１００に近づくときに、ベッドトランシーバ１４０はトランシーバ１５８を介してバッジ１６０により送信される介護人識別信号１５５を検出する（図５）。介護人識別信号１５５の検出は、リモコン１５０から指示を受信するために、病院ベッド１００の制御ユニット１７５を準備して病院ベッド１００の制御装置を起動する。介護人識別信号１５５を検出しない場合には、病院ベッド１００はリモコン１５０により送信された信号に応答しない。
【００１８】
図１は一つの室７０内でリモコン１５０により介護人１１０が四つの個別病院ベッド１００ａ，１００ｂ，１００ｃ，１００ｄを制御する状態を線図で示す。介護人バッジ１６０は、ベッドトランシーバ１４０ａ，１４０ｂ，１４０ｃ，１４０ｄおよびオーバーヘッドトランシーバ１６７により受信した介護人識別信号１５５を送信する。オーバーヘッドトランシーバ１６７は識別信号１５５をハードワイヤ接続を介してワイヤレスでロケーション・トラッキングシテスムのマスタステーション１７０（図５）へ通信する。ロケーション・トラッキングシテスムは介護人１１０の居場所を記録する。ベッドトランシーバ１４０ａ，１４０ｂ，１４０ｃ，１４０ｄは、同様に、識別信号１５５を検出し、それにより介護人接続１３５ａ，１３５ｂ，１３５ｃ，１３５ｄを起動する。選択的に、ベッドトランシーバ１４０ａ，１４０ｂ，１４０ｃ，１４０ｄはベッド識別信号を送信し、それがリモコン１５０により受信されたときに、介護人接続１３５ａ，１３５ｂ，１３５ｃ，１３５ｄを起動する。これは、リモコン１５０によりリモコン信号を送信することにより、リモコン信号が意図したベッドを識別することにより行なわれる。介護人１１０は遠隔的にアップデートに監視できかつ介護人接続１３５ａ，１３５ｂ，１３５ｃ，１３５ｄ上でベッド１００ａ，１００ｂ，１００ｃ，１００ｄを制御できる。ベッド１００ａ，１００ｂ，１００ｃ，１００ｄの各々について独自識別装置を使用して、介護人１１０はリモコン１５０を介して選択的にそれらのベッドの一つまたはそれ以上を制御しかつ残余ベッドを制御しなくてよい。
【００１９】
図４はリモコン１５０の他の形態を示す。
【００２０】
この形態において、リモコン１５０はリモコン１５０上の情報、例えばベッド状態、患者状態に関する情報、患者モニタ装置に関する情報、ケア情報、個人情報等を表示するためにディスプレイスクリーン１５１を含む。同様に、患者の視覚がスクリーン１５１上に表示できる。ディスプレイスクリーン１５１のデータは上述のデータ送信技術によりトランシーバ１４５により受信される。トランシーバ１４５はプロセッサ１５３に接続されている。リモコン１５０は、更に、プロセッサ１５３に接続される入力装置１５５を含み、介護人がベッドまたは他の遠隔場所へ送信するために情報または制御命令をリモコン１５０へ入力することを可能にし、かつ介護人１１０が情報または制御命令を送信するベッドを選択することを可能にする。入力装置１５５は、例えば、制御ボタン、キーパッド、ペン型または尖筆型入力装置、音声認識入力装置、タッチスクリーン入力装置、バーコードスキャナ、またはラップトップコンピュータ上で通常に使用される他の適宜入力装置を含む。
【００２１】
図４の形態は、バッジ１６０の特徴をリモコン１５０に一体化している。バッジ１６０は、従って、リモコン１５０のトランシーバ１４５へ接続されるかまたはリモコン１５０上の分離トランスミッタへ接続される。従って、単一リモコン１５０は、上述したように、介護人１１０の識別バッジおよびベッドの種々の機能を制御するためのベッド制御装置の両作用をする携帯制御装置を提供する。リモコン１５０は、また、図示例において、スピーカ１５９およびマイクロホン１６０を含み、介護人１１０およびベッド１００上の患者間、または介護人１１０および遠隔場所の他の介護人間の音声通信を可能にする。本発明のリモコン１５０は介護人１１０を遠隔場所に自動的に位置付け、かつ介護人がリモコン１５０、トランシーバ１４５または病院内に設置された分離ナースコールステーションを使用して患者と直接通信することを可能にする。
【００２２】
感染の脅威は、従来方法と反対に、介護人１１０がリモコン１５０を使用してベッド１００を制御する場合には減少する。この理由は、物理的接触がベッド１００と介護人１１０間に必要でないことによる。しかし、好適ベッド１００は、介護人１１０がリモコン１５０を有しない場合またはリモコン１５０が機能不全ンの場合のためにリモコン１５０上に２二セットの制御装置の少なくとも一部を備える。
【００２３】
図２Ａは第一形態のベッド１００を示し、このベッドは患者または介護人がベッド１００を制御できる制御ボックス１０３を有する。制御ボックス１０３はケーブル１０７を介してベッド１００へ接続される。選択的に、制御ボックス１０３はベッドトランシーバ１４０を介してベッド１００とワイヤレスで通信する。図２Ｂはベッド１００のサイドレール１０１ａ内に埋設された制御ボックス１０９を有するベッド１００の第二形態を示す。一形態において、制御ボックス１０９はサイドレール１０１ａの一体部である。好適形態において、制御ボックス１０９はサイドレール１０１ａに取り外し自在に連結され、それにより患者または介護人が制御ボックス１０９を任意場所へ設置できるようにする。制御ボックス１０９はケーブルを介してベッド１００へ接続されるかまたはベッド１００とワイヤレス通信できる。
【００２４】
図３は三つの患者室９０ａ，９０ｂ，９０ｃ、ナースコールステーション１６８を含むスタッフ領域９０ｅ、および介護人１１０が現在いる第五場所９０ｄを有する病棟８０の線図である。ロケーション・トラッキングシテスムは、どのオーバーヘッドトランシーバ１６７が介護人識別信号１５５を受信するかをモニタすることにより介護人１１０の居場所を追跡する。図３において、オーバーヘッドトランシーバ１６７ｄは介護人識別信号１５５を受信し、それにより介護人１１０がトランシーバ１６７ｄの付近にいることを確認する。
【００２５】
一形態において、介護人１１０の居場所はオーバーヘッドトランシーバ１６７、およびドッキングステーション１０５へ一体化された患者ステーション１６５（図５）を介して追跡される。患者ステーション１６５はマスタステーション１７０および複数のナースステーション１６８へワイヤでハード接続される。患者ステーション１６５は介護人識別信号１５５を検出するトランシーバ１４２を含む。トランシーバ１４２の一体化は介護人の居場所の更に密着した追跡を可能にする。例えば、四つのベッドを備えた室内の介護人の居場所は介護人がいる室だけをでなく、介護人が最も接近するベッドの下から知られる。本発明のこれらの異なる機能は図３を参照して次に説明される。
【００２６】
第一に、本発明は、病棟８０内の介護人の居場所と独立に、患者が介護人１１０を呼ぶことを可能にする。室９０ａ内のベッド１００ａにいる患者は介護人１１０のアシスタントを必要とする。ベッド１００ａはこのリクエストをドッキング接続１２０ａを介してマスタステーション１７０へ送信する。そこで、マスタステーションは介護人１１０の居場所をロケーション・トラッキングシテスムに照会する。マスタステーションは、そこで、警報信号１６９を介護人１１０のリモコン１５０へオーバーヘッドトランシーバ１６７ｄから送信する。一形態において、リモコン１５０および介護人バッジ１６０は図４に示されたように単一ユニットに結合されている。他の形態においてマスタステーションは警報信号を介護人バッジ１６０へ送信する。そこで、リモコン１５０はベッド１００ａにいる患者により提示されたナースコールリクエストを介護人１１０に警報する。一形態において、介護人１１はバッジ１６０またはリモコン１５０により患者へ遠隔通信する。
【００２７】
第二に、本発明は、介護人１１０がベッド１００ａ等の特定ベッドのシステムの一つを遠隔モニタすることを可能にする。介護人１１０は、リモコン１５０を使用して、リクエスト信号１７１をロケーション・トラッキングシテスムへオーバーヘッドトランシーバ１６７ｄを介して送信する。マスタステーション１７０はこのリクエスト信号を受信してドッキング接続１２０ａを介してリクエストされた情報についてベッド１００ａに照会する。そこで、ベッド１００ａの状態またはベッド１００ａ上の患者モニタ装置の状態がリモコン１５０へマスタステーション１７０を介して送信される。
【００２８】
一形態において、ベッド１００は介護人バッジ１６０に類似のバッジ３５０を含む。バッジ３５０はトランスミッタ３５５を介してベッド識別信号３６５を送信する。ベッド識別信号３６５はロケーション・トラッキングシテスムに接続されたオーバーヘッドトランシーバ１６７により監視される。ベッド１００のトラッキングは介護人によるベッド１００の位置の追跡を可能にする。従って、介護人１１０はリモコン１５０によりベッド１００の位置を問い合わせてそのベッドが手術、テストまたは他の仕事から患者室へ戻ったか否かを決定できる。好適形態において、介護人１１０はベッド１００の場所を連続的にモニタし、かつベッド１００が患者室９０ａまたは他の場所に戻ったときに介護人に警報するようにリモコン１５０をプログラムできる。
【００２９】
第三に、本発明は介護人１１０がベッド１００ｂ等の特定ベッドのシステムの一つの状態を遠隔テストまたは変更することを可能にする。介護人１１０はリモコン１５０を使用して、リクエスト信号１７１をオーバーヘッドトランシーバ１６７ｄを介してロケーション・トラッキングシテスムへ送信する。マスタステーションはこのリクエストを受信しかつそれをドッキング接続１２０ｂを介してベッド１００ｂへ提供する。そこで、ベッド１００ｂはリクエストされたテストまたは機能を実行する。
【００３０】
ドッキング接続１２０、介護人接続１３５、および介護人識別信号１５５は、赤外線（ＩＲ）、無線（ＲＦ）、超音波等の従来ワイヤレス・データ通信プロトコルにより管理される。従来ＩＲリンクは蛍光灯が使用される施設では問題がある。その理由は、蛍光灯がＩＲエネルギーおよびＩＲリンクの変調率に類似の割合で明滅を放射することである。従って、ＩＲリンクの適宜変調率による蛍光灯により放射されるＩＲエネルギーは、ドッキング接続１２０、介護人接続１３５、または介護人識別信号１５５を妨害または破壊する。好適データ通信プロトコルは、蛍光灯により放射されるＩＲエネルギーによる影響を受けないＩｎｒａｒｅｄ Ｄａｔｅ Ａｓｓｏｃｉａｔｉｏｎ’ｓ ｐｒｏｔｏｃｏｌ（ＩｒＤＡ）である。
【００３１】
ＩｒＤＡプロトコルはワイヤレスＩＲ通信用プロトコルでありかつ同一ネットワークケーブル上でのコンピュータ間通信を管理するために使用されるコンピュータネットワークプロトコルに類似する。ＩｒＤＡは二つの構成要素間の複雑な情報交換のために提供される。この情報交換は確認情報、通信の確認、エラーチェック、エラー修正、および二つ以上の構成要素が同一送信を受信するレシーバによる場合にコンフリクト解決のための機構を含む。従って、ＩｒＤＡは蛍光灯に首尾よく作用するだけでなく、一つ以上のベッド１００が患者室内にある病院環境内で良好に機能する。
【００３２】
選択的形態は複数のベッドをワイヤレスで制御するためにデジタルパルス技術を使用する。理解されるように、他の送信システム、例えばＢｌｕｅｔｏｏｔｈ無線技術は本発明に使用できる。更に、米国特許第５，４５２，３５６号、および同第５，７３５，２８５号等に開示のデータ送信装置が参考としてここに組み込まれる。
【００３３】
ドッキング接続１２０は、図示例において、ベッド１００とドッキングステーション１０５間のワイヤレス通信リンクである。従来のハードワイヤによる通信リンクはベッドおよび患者ステーションへ物理的に取り付けるべきケーブル、例えばＲＳ−２３２ケーブル等を必要とすることは当分野で周知である。ドッキング接続１２０は、ベッド１００と病院ネットワークとの間の情報交換を可能にする。ドッキング接続１２０を確立するために、ベッドトランシーバ１２５は、ドッキングトランシーバ１３０の概ね前に、いずれかから発信される信号が他方により検出されるように、位置決めされる。
【００３４】
図５を参照すると、ベッド１００は一セットのモニタ装置１８０、一セットの記録保持装置１８５、一セットのフレームおよび休息面装置１９０、一セットのテスト装置１９５、一セットの通信装置２００、および一セットの環境装置２０５を制御するための制御ユニット１７５を含む。全体的に、ベッド１００はフレーム、調整自在サイドレール、および患者用関節式支持面を含む従来病院ベッドである。ベッド１００に関する種々の装置は当分野で既知であり、かつ本発明により制御できる装置の異なるタイプの徹底例ではなく実施例として提供される。
【００３５】
制御ユニット１７５はベッド１００とドッキングステーション１０５間の通信を制御する。更に、制御ユニット１７５はベッド１００上の他の装置の操作を制御する。
【００３６】
モニタ装置１８０はベッド１００の状態、患者の状態、および患者の処置に使用される装置の状態を監視する装置である。図６を参照すると、幾つかの例が示されているが、図６はモニタ装置の網羅的リストを意図していない。例示モニタ装置１８０はベッドセンサ２１０、ブレーキセンサ２１５、ベッド退出モニタ装置２２０、患者位置モニタ装置２２５、グラント欠陥モニタ装置２３０、薬物投与モニタ装置２３５、模造バッグモニタ装置２４０、および失禁モニタ装置２４５である。モニタ装置１８０の一つが望ましくないベッド、患者、または設備環境を感知したときに、アラーム状態を発生する。アラーム状態は制御ユニット１７５によりドッキング接続１２０から病院ネットワークに連携される。アラーム状態はナースステーション１６９で指示を発生させるかまたはマスタステーションへ通報されロケーション・トラッキングシテスムを介して介護人へ送信されるか、またはその両方が行なわれる。介護人１１０は視覚表示等の指示をバッジ１６０またはリモコン１５０上で受信する。このようにして、図３に示されたように、介護人が病院の違う室にいる等ベッド１００から離れているときでも、介護人１１０はモニタ装置１８０の一つにより感知されたアラーム状態に気づく。
【００３７】
ベッド位置センサ２１０はベッド１００の位置を監視する。ベッド位置センサ２１０が望ましくないベッド位置を感知したときに、アラーム状態が発生し、ナースステーション１６８または介護人１１０が認知する。アラーム状態の例は、休息面がトレンデレンブルグではなく、逆トレンデレンブルグ位置であるとか、ベッド１００が低位置にないが患者が休息しているとかである。アラーム状態が発生した場合、介護人１１０は物理的に患者室へ侵入し、かつリモコン１５０から介護人接続１３５を介してフレームおよび休息面装置１９０へ信号を送信することにより、かつナースステーション１６８から病院ネットワークを介してドッキング接続１２０へ信号を送信することにより、または病院ネットワークを介してドッキング接続１２０へ、リモコン１５０から制御ユニット１７５へ信号を送信することによりベッド位置を調整する。
【００３８】
ブレーキセンサ２１５はベッド１００のブレーキを監視する。病院ベッドは代表的にはベッドを場所から場所へ容易にベッドを運搬する車輪を具備する。ベッド１００上の車輪の少なくとも一つは、ブレーキがセット位置のときに、固定位置にベッド１００を固定するためのブレーキを有する。ブレーキセンサ２１５はベッド１００上のブレーキの状態を監視する。ブレーキがセット位置でない場合には、ベッド１００は自由に回動し、それにより患者を負傷させる危険がある。仮にブレーキがセット位置にない場合には、ブレーキセンサ２１５はナースステーション１６８または介護人１１０へドッキング接続１２０を使用して通報する。
【００３９】
ベッド退出モニタ装置２２０は、患者が介護人の気づかないうちにベッド１００を脱出していないことを確認するために監視する。患者がベッド１００を脱出した場合を監視する一つの方法は、ベッド１００の休息面の重量を監視することである。監視された重量値の急激な減少は、患者がベッドを退出したことを示す。患者がベッドを退出していない場合には、ベッド退出モニタ装置２２０がドッキング接続１２０を使用して制御ユニット１７５からドッキングステーション１０５へ信号を送信し、そのようにして介護人１１０はバッジ１６０またはリモコン１５０で通知を受ける。
【００４０】
患者位置モニタ装置２２５はベッド１００内の患者の位置を監視する。ベッド１００内の患者の位置を監視する一方法は、複数の圧力センサをベッド１００の休息面下に設置することである。患者がベッド１００上で正しい位置にいない場合には、患者位置モニタ装置２２５は介護人１１０にドッキング接続１２０から通知する。
【００４１】
薬物投与モニタ装置２３５は、例えばＩＶ溶液または滴下溶液を監視する。問題が発生した場合には、薬物投与モニタ装置２３５は介護人１１０にドッキング接続１２０を通して通知する。
【００４２】
模造バッグモニタ装置２４０は、模造バッグが充満しているときに、患者の模造バッグを監視してナースステーション１６８または介護人１１０へドッキング接続１２０を使用して通知する。
【００４３】
失禁モニタ装置２４５はベッド１００の休息面が乾燥状態であることを確かめるために監視する。失禁監視の一方法は、マットレスと休息面のシート間に湿気センサを設置することである。過剰湿気が検出された場合には、失禁モニタ装置２４５がナースステーション１６８または介護人１１０にドッキング接続１２０を使用して通知する。
【００４４】
記録保持装置１８５は患者に関する情報、病院内の滞在、ケアの質、設備配置等を記憶する。図７はいくつかの記録保持装置１８５を示すが、図７は網羅的リストではない。例示記録保持装置１８５は個人情報２５０、介護カード２５５、注文表２６０、生命徴候２６５およびケア情報２７０等である。全部または幾つかの記録保持装置１８５が、Ｈｉｌｌ−Ｒｏｍ　Ｔｏｔａｌ　Ｃａｒｅ（登録商標）ベッドのＧｒａｐｈｉｃａｌ　Ｃａｒｅｇｉｖｅｒ　Ｉｎｔｅｒｆａｃｅ、例えば制御箱１０９（図２Ｂ）等の一つの装置に結合されることを意図している。記録保持装置１８５は介護人１１０によりドッキング接続１２０または介護人接続１３５を介してアップデートにされる。生命徴候モニタ２６５は記録保持装置１８５に自動的に情報を送信する。従って、介護人が患者室へ侵入したときに、介護人はリモコン１５０を使用して患者のベッド１００のメモリ内またはマスタステーション１７０のメモリに保存されている記録データを検索する。
【００４５】
個人情報２５０は患者名、住所、社会保険番号、および緊急連絡先を含む患者に関する情報を有する。介護カード２５５は、予備枕またはＩＶユニット等患者に配給された設備のリストを含む。介護カード２５５は調査表制御および設備追跡を容易にする。注文表２６０は、そのベッドの特定患者について、発生注文２６２、終了注文２６３、および未決注文２６４を追跡する。履歴記録を提供すると共に、注文表２６０は患者に提供されたケア内容の指示を病院職員に提供する。
【００４６】
生命徴候２６５は患者の血圧２６６（侵襲性または非侵襲性カフ）、体温２６８および体重２６９等の患者の収集された生命徴候の介護人１１０による記録を可能にする。他の生命徴候モニタ２６５は実施例として心拍数または心拍出量センサ、ＥＫＧまたはＥＣＧモータ、血液酸素レベルモニタ、カプノグラフ（ｃａｐｎｏｇｒａｐｈｓ）等を含む。生命徴候２６５は、対応するテスト側壁（１３）１９５が存在する場合には自動的に記録される。
【００４７】
ケア情報２７０は背痛い等患者の症状２７４の介護人１１０による記録を可能にする。付加的情報として食物摂取２７１および排泄量２７２等が記録できる。記録保持装置１８５により収集されたデータをコンパイルまたは分析することにより、患者に施されるケア内容の指示（処方）が作成される。患者の健康の経過を示すスナップ写真等他のタイプのレポートが同様に作成可能である。更に、請求報告書が記録情報を基に自動化できる。
【００４８】
フレームおよび休息面装置１９０はベッド１００の位置、ならびに休息面の位置および形状を調整する。更に、休息面振動、温度、および硬さ制御装置等他の装置がフレームおよび休息面装置１９０に含まれる。介護人１１０はフレームおよびおよび休息面装置１９０の状態をドッキング接続１２０または介護人接続１３５を介してアクセスしかつ変更する。更に、フレームおよび休息面装置１９０は、制御ボックス１０３または制御ボックス１０９等のベッドフレームまたは患者リモコン上での患者による入力を可能にする。図８は幾つかのフレームおよび休息面装置１９０を示すが、図８は網羅リストと考えられるべきでない。フレームおよび休息面装置１９０の例はヘッド位置制御装置２７５、バック位置制御装置、シート／腿位置制御装置２８５、加熱制御装置２９０、ブラダ硬化装置２９５、フットボード後退制御装置３００、補助ブラダ回転制御装置３０５、および振動制御装置３１０を含む。
【００４９】
ヘッド位置制御装置２７５、バック位置制御装置２８０およびシート／腿位置制御装置２７５は休息面のヘッド位置を上昇下降させて患者の頭部に概ね一致させる。バック位置制御装置２８０は休息面の中間部を昇降させて患者の背に概ね一致させる。シート／腿位置制御装置２８５は休息面の下部を昇降させて患者の座または腿に一致させる。
【００５０】
加熱制御装置２９０はベッド１００の休息面の温度を制御する。同様に、振動制御装置３１０はベッド１００の休息面の硬さを制御する。ブラダ硬さ制御装置２９５はベッド１００の休息面の硬さを制御する。フットボード後退制御装置３００はベッド１００の休息面のフット部の長さを調整する。これは、ベッド１００による種々の高さでの患者の快適収容を可能にする。補助ブラダ回転制御装置３０５は患者の回転を制御して肺合併症の危険を減少する。エアマットレス等の患者支持面用インターフェース圧力センサおよびコントローラは制御装置１９０に接続されてよい。
【００５１】
一形態において、フレームおよび休息面装置１９０をリモコン１５０で制御するときに安全予備策が含まれる。例えば、フットボードの位置をフットボード制御装置３００により変更するときに、介護人１１０は安全のためにフットボードの全運動時にリモコン１５０上のボタンを押し下げておくことを要求される。
【００５２】
テスト装置１９５は患者の種々の物理的特性をテストする。介護人１１０はドッキング接続１２０または介護人接続１３５を介してテスト装置１９５によりテストを行なう。更に、テスト装置１９５は特定時間間隔で種々のテストを行なうためにセットアップできる。テスト結果はドッキング接続１２０または介護人接続１３５を介して介護人１１０へ提供できる。選択的に、その結果は将来の参考のために記録保持装置１８５に記憶される。図９は幾つかのテスト装置１９５を示すが、完全リストではない。テスト装置１９５の例として、血圧装置３１５、体温装置３２０、ベッドスケール装置３２５、および脈動酸素測定装置３２７が含まれる。
【００５３】
血圧装置３１５は実施例として自動血圧カフ、および患者の血圧を監視するために使用される制御回路を含む。理解されるように、他の血圧測定装置が本発明により使用できる。体温装置３２０は患者の体温を監視するために温度センサを含む。ベッドスケール３２５はベッド１００の休息面の重量を監視し、ベッド１００が空のときに休息面の重量知識に基づいて休息面上の患者の重量が決定される。脈動酸素測定装置３２７は患者循環の適正を監視し、かつ組織への酸素配給が適正か否かを監視する。他のテスト装置として血液テスト、カプノグラフ、ＥＫＧまたはＥＣＧ装置等が含まれる。
【００５４】
環境装置２０５は患者室内の環境パラメタを制御する。介護人１１０はドッキング接続１２０または介護人接続１３５を介して環境装置２０５を制御できる。図１０は幾つかの異なる環境装置２０５を示すが、図１０は網羅リストではない。環境装置２０５の例としてＴＶ／ラジオ制御装置３４５、室温制御装置３５０および照明制御装置３５５が含まれる。
【００５５】
ＴＶ／ラジオ制御装置は室内のＴＶおよびラジオの機能を制御する。室温制御装置３０５は患者室の温度を変えるためにサーモスタット制御装置である。照明制御装置３５５は室内照明のオンオフおよび輝度レベルを制御する。
【００５６】
一形態において、環境制御装置の状態は、介護人１１０が室内へ侵入するときに自動的に変化する。例えば、ＴＶ／ラジオ装置３４５は消音しかつ照明制御装置３５５により制御さる特定照明は起動する。介護人１１０が室へ侵入するときに、ベッドトランシーバ１４０は介護人バッジ１６０により送信される介護人識別信号１５５を受信する。制御ユニット１７５が識別信号１５５を認証した後に、制御ユニット１７５はＴＶ／ラジオ装置１４５に全音を消しかつ照明装置３５５に特定照明を点灯するように指示する。
【００５７】
本発明の他の形態において、制御ユニット１７５は、制御ユニット１７５がバッジ１６０から識別信号１５５を認証した後に室内の一つまたはそれ以上の環境制御装置を無効（ｏｖｅｒｒｉｄｅ）にする。換言すれば、患者は、認証された介護人１１０が室内にいるときには、例えばラジオ、テレビまたは照明等の環境機能をもはや制御できない。リモコン１５０上の入力装置１５７は委任された介護人１１０による環境制御装置の所望レベルへの調整を可能にする。
【００５８】
ベッド１００は、しばしば、制御をロックアウトし、ベッド１００上の患者が一定制御装置を作動するのを阻止する。このロックアウトは典型的にはベッド上の一つのボタン、または二つまたはそれ以上のボタンの組み合わせを押圧することにより作動し、種々のベッド制御装置、環境制御装置、または他の機能をロックアウトする。本発明の一形態において、ベッドのロックアウトは室内の委任された介護人１１０以外によっては変更できない。換言すれば、介護人１１０が室へ侵入したときに、ベッドトランシーバ１４０はバッジ１６０から介護人識別信号１５５を受信する。制御ユニットが識別信号１５５を認証した後に、制御ユニット１７５がベッドのロックアウト状態の変更を可能にする。
【００５９】
Ｈｉｌｌ−Ｒｏｍ，Ｉｎｃ．から入手できるＴｏｔａｌ　Ｃａｒｅ（登録商標）等の所定ベッドは概ねフラットなベッド位置から椅子位置へ移動できる。本発明の一形態において、ベッドは、委任された介護人１１０が室内にいない場合には椅子位置へ移動しない。再度説明すると、制御ユニット１７５は、ベッドを椅子位置へ移動する前に、バッジ１６０から識別信号１５５を受信しかつ認証しなければならない。
【００６０】
通信装置２００は患者と病院ネットワーク間の通信を管理する。図１１は幾つかの異なる通信装置２００を示すが、図１１は網羅リストではない。その例示として、電話３３０、タッチスクリーン３３５およびナースコール３４０がある。
【００６１】
電話３３０は患者による電話呼び出しを受信しかつ外部への電話接続を可能にする。電話３３０はドッキング接続１２０を介して病院の電話ネットワークと通信する。
【００６２】
タッチスクリーン３３５は患者から情報を得るために使用される入力装置である。一例として、患者によるタッチスクリーンのメニュー選択を可能にする。患者の選択はドッキング接続１２０および病院のネットワークを介して病院の食事準備領域へ経由される。
【００６３】
ナースコール３４０は、ドッキング接続１２０を介してナースステーション１６８と患者間にツーウエイ通信リンクを提供する。更に、病院ロケーション・トラッキングシテスムは、ナースコール状態が発生したことを示す表示をバッジ１６０またはリモコン１５０上で介護人１１０に提供する。一形態において、ナースコール３４０は、ベッド１００近くでの介護人１１０の検出により、ベッド１００近くで開始したいずれのアラーム状態をも停止させる。介護人１１０が室へ侵入したときに、ベッドトランシーバ１４０は介護人バッジ１６０により放送される介護人識別信号１５５を受信する。制御ユニット１７５が識別信号１５５を認証した後に、制御ユニット１７５はナースコール装置３４０にベッドにより開始した全アラームを非起動するように指示する。
【００６４】
本発明は添付図面および上記説明により詳細に図解かつ記載されたが、かかる図解および記載は例示であって制限的性質を有するのもでなく、本発明の精神の範囲内の変更および改良は保護されるべきである。
【図面の簡単な説明】
【図１】
リモコンにより多くのベッドを制御する介護人を示す。
【図２】
（Ａ）は病院ベッドの第一形態を示し、（Ｂ）は病院ベッドの第二形態を示す。
【図３】
ロケーション・トラッキングシテスムが使用されている病棟を示す。
【図４】
本発明の特徴を組み入れたリモコンの一形態を示す。
【図５】
病院ベッド、ドッキンステーション、および介護人バッジのブロック図を示す。
【図６】
病院ベッドのモニタ制御装置のブロック図を示す。
【図７】
病院ベッドの記録保持制御装置のブロック図を示す。
【図８】
病院ベッドのフレームおよび休息面制御装置のブロック図を示す。
【図９】
病院ベッドのテスト制御装置のブロック図を示す。
【図１０】
病院ベッドの通信制御装置のブロック図を示す。
【図１１】
病院ベッドの環境制御装置のブロック図を示す。
【図４】
2004512058.tif 000003
【図５】
2004512058.tif 000004
【図６】
2004512058.tif 000005
【図７】
2004512058.tif 000006
【図８】
2004512058.tif 000007
【図９】
2004512058.tif 000008
【図１０】
2004512058.tif 000009
【図１１】
2004512058.tif 000010
【国際公開パンフレット】
2004512058.tif 000011
2004512058.tif 000012
2004512058.tif 000013
2004512058.tif 000014
2004512058.tif 000015
2004512058.tif 000016
2004512058.tif 000017
2004512058.tif 000018
2004512058.tif 000019
2004512058.tif 000020
2004512058.tif 000021
2004512058.tif 000022
2004512058.tif 000023
2004512058.tif 000024
2004512058.tif 000025
2004512058.tif 000026
2004512058.tif 000027
2004512058.tif 000028
2004512058.tif 000029
2004512058.tif 000030
2004512058.tif 000031
2004512058.tif 000032
2004512058.tif 000033
2004512058.tif 000034
2004512058.tif 000035
2004512058.tif 000036
2004512058.tif 000037
2004512058.tif 000038
2004512058.tif 000039
2004512058.tif 000040
2004512058.tif 000041
2004512058.tif 000042
2004512058.tif 000043
2004512058.tif 000044
2004512058.tif 000045
2004512058.tif 000046
2004512058.tif 000047
【国際公開パンフレット（コレクトバージョン）】
2004512058.tif 000048
2004512058.tif 000049
【国際公開パンフレット（コレクトバージョン）】
2004512058.tif 000050
2004512058.tif 000051
2004512058.tif 000052
2004512058.tif 000053
2004512058.tif 000054
2004512058.tif 000055
2004512058.tif 000056
2004512058.tif 000057
2004512058.tif 000058
2004512058.tif 000059
2004512058.tif 000060
2004512058.tif 000061
2004512058.tif 000062
2004512058.tif 000063
2004512058.tif 000064
2004512058.tif 000065
2004512058.tif 000066
2004512058.tif 000067
2004512058.tif 000068
2004512058.tif 000069
2004512058.tif 000070
2004512058.tif 000071
2004512058.tif 000072
2004512058.tif 000073
2004512058.tif 000074
2004512058.tif 000075
2004512058.tif 000076
2004512058.tif 000077
2004512058.tif 000078
2004512058.tif 000079
2004512058.tif 000080
2004512058.tif 000081
2004512058.tif 000082
2004512058.tif 000083
2004512058.tif 000084
2004512058.tif 000085
2004512058.tif 000086
【国際調査報告】
2004512058.tif 000087
2004512058.tif 000088
2004512058.tif 000089